(57)【要約】【課題】ボトル缶の内圧が異常に上昇することを防止できるキャップ、キャップ付ボトル缶及びキャップ製造方法を提供することにある。【解決手段】シール部14に対応させて天板部５の内表面12に凹んだコイニング部17を形成したことにより、天板部５に絞り加工が施された後であっても、口部頂点4aと天板部５との距離をコイニング部17の凹んだ空間の分だけ確実に確保できるとともに、当該コイニング部17の凹んだ空間の分だけ天板部５の厚みを薄くできる。従って、天板部５がシール部14を押し付ける力が低減され、その結果キャップ本体７と口部頂点4aとの間の面圧が低下し、ボトル缶２の内圧によってシール部14を変形させて当該内圧を容易に開放させることができ、かくしてボトル缶２の内圧が異常に上昇することを防止できる。【選択図】図２
2007269363.tif 000002
【特許請求の範囲】
【請求項１】
天板部の周縁から筒部が垂下したキャップ本体と、前記天板部の内表面に設けられたライナとを備え、前記ライナには容器の口部頂点に当接するシール部が設けられたキャップにおいて、
前記天板部の内表面には、前記シール部と対向する位置に、前記キャップ本体の厚さ方向に凹む凹部が形成されている
ことを特徴とするキャップ。
【請求項２】
前記シール部には、前記天板部との接触面側に前記凹部と対応させて凸部が形成されている
ことを特徴とする請求項１記載のキャップ。
【請求項３】
天板部の周縁から筒部が垂下したキャップ本体と、前記天板部の内表面に設けられたライナとを備えたキャップと、
前記キャップにより口部が閉止されるボトル缶とから構成されたキャップ付ボトル缶において、
前記キャップには、前記ライナに前記ボトル缶の口部頂点と当接するシール部が設けられ、前記天板部の内表面には、前記シール部と対向する位置に、前記キャップ本体の厚さ方向に凹む凹部が形成されている
ことを特徴とするキャップ付ボトル缶。
【請求項４】
前記シール部には、前記天板部との接触面側に前記凹部と対応させて凸部が形成されている
ことを特徴とする請求項３記載のキャップ付ボトル缶。
【請求項５】
天板部の周縁から筒部が垂下したキャップ本体と、前記天板部の内表面に設けられたライナとを備え、前記ライナには容器の口部頂点に当接するシール部が設けられたキャップのキャップ製造方法において、
前記天板部の内表面における前記シール部と対向する位置に、前記キャップ本体の厚さ方向に凹む凹部を形成する形成ステップを備える
ことを特徴とするキャップ製造方法。
【請求項６】
前記凹部が形成された前記天板部の内表面に溶融した合成樹脂材を供給し、前記合成樹脂材を押し広げて前記ライナを成形するライナ成形ステップを備える
ことを特徴とする請求項５記載のキャップ製造方法。
【発明の詳細な説明】
【技術分野】
【０００１】
本発明はキャップ、キャップ付ボトル缶及びキャップ製造方法に関し、例えばスポーツドリンク等の清涼飲料水やコーヒ等の飲み物を封入して販売するためのキャップ付ボトル缶に適用して好適なものである。
【背景技術】
【０００２】
近年、飲料容器として、ガラスや合成樹脂製のものに代え、アルミニウム等の金属製でなるボトル缶が用いられており、これに伴い、ボトル缶を閉止するキャップ（以下、これを飲料容器用キャップと呼ぶ）についてもアルミニウム等の金属製で形成されたものが用いられている。
【０００３】
そして、このような飲料容器用キャップは、円板状の天板部と、当該天板部の周縁から垂下した筒部とからなるキャップ本体を有し、比較的軟質の合成樹脂材で成形されたライナが当該天板部の内表面に設けられ、このライナが閉止時にボトル缶の口部頂点に当接して容器内部を密封し得るようになされている。
【０００４】
しかしながら、ボトル缶に収容されている内容物が、天然果汁を含む飲料等の発酵性のある液体やビール等の酒類、コーラ等の炭酸飲料等の場合には、ボトル缶の内圧が異常に上昇することもあり、開栓時に飲料容器用キャップが飛翔する等の問題が生じる虞があった。
【０００５】
そこで、このような問題点を解決するため、特開２００４−２９１９８３号公報では、ライナにおけるシール部の外表面に複数の切欠き部を形成し、当該切欠き部においてボトル缶の口部頂点との接触面積を減少させた飲料容器用キャップが考えられている（例えば特許文献１参照）。
【０００６】
この場合、かかる構成の飲料容器用キャップでは、切欠き部によってキャップ本体と口部頂点との間の面圧を低下させることができるので、ボトル缶の内圧が所定値に達したとき、この面圧が低い切欠き部を介してボトル缶の内圧を外部に開放し得るようになされている。
【０００７】
かくして飲料容器用キャップでは、容器に収容されている内容物が、発酵性のある液体等であっても、ボトル缶の内圧が異常に上昇することを未然に回避でき、かくして開栓時に飲料容器用キャップが飛翔する等の問題が生じることを防止し得るようになされている。
【０００８】
ところで、このような飲料容器用キャップは、天板部にライナを設けたキャップ本体を、ボトル缶の口部に被せ、当該天板部の周縁に絞り加工を施すことにより、天板部の周縁部分が小径に絞られてキャップ本体の内側に凹む段差部が形成される。このようにして飲料容器用キャップは、段差部の内表面に設けられているライナのシール部を、ボトル缶の口部頂点に密着させてボトル缶を密封し得るようになされている。
【特許文献１】特開２００４−２９１９８３号公報
【発明の開示】
【発明が解決しようとする課題】
【０００９】
しかしながら、かかる構成のライナのシール部は、このような絞り加工が実際に天板部に施されて段差部が形成されると、切欠き部の切欠いた空間が潰れる等して所望の形状に変形しないこともあり、切欠き部においてキャップ本体と口部頂点との間の面圧が低下しない虞がある。
【００１０】
この場合飲料容器用キャップでは、ボトル缶内の内圧が所定値に達しても、切欠き部を介してボトル缶の内圧が外部に開放されない虞もあり、ボトル缶の内圧が異常に上昇してしまうという問題があった。
【００１１】
本発明は、以上の問題点を考慮してなされたもので、ボトル缶の内圧が異常に上昇することを防止できるキャップ、キャップ付ボトル缶及びキャップ製造方法を提案しようとするものである。
【課題を解決するための手段】
【００１２】
本発明の請求項１記載のキャップは、天板部の周縁から筒部が垂下したキャップ本体と、前記天板部の内表面に設けられたライナとを備え、前記ライナには容器の口部頂点に当接するシール部が設けられたキャップにおいて、前記天板部の内表面には、前記シール部と対向する位置に、前記キャップ本体の厚さ方向に凹む凹部が形成されていることを特徴とするものである。
【００１３】
また、本発明の請求項２記載のキャップは、前記シール部には前記天板部との接触面側に前記凹部と対応させて凸部が形成されていることを特徴とするものである。
【００１４】
また、本発明の請求項３記載のキャップ付ボトル缶は、天板部の周縁から筒部が垂下したキャップ本体と、前記天板部の内表面に設けられたライナとを備えたキャップと、前記キャップにより口部が閉止されるボトル缶とから構成されたキャップ付ボトル缶において、前記キャップには、前記ライナに前記ボトル缶の口部頂点と当接するシール部が設けられ、前記天板部の内表面には、前記シール部と対向する位置に、前記キャップ本体の厚さ方向に凹む凹部が形成されていることを特徴とするものである。
【００１５】
また、本発明の請求項４記載のキャップ付ボトル缶は、前記シール部には前記天板部との接触面側に前記凹部と対応させて凸部が形成されていることを特徴とするものである。
【００１６】
また、本発明の請求項５記載のキャップ製造方法は、天板部の周縁から筒部が垂下したキャップ本体と、前記天板部の内表面に設けられたライナとを備え、前記ライナには容器の口部頂点に当接するシール部が設けられたキャップのキャップ製造方法において、前記天板部の内表面における前記シール部と対向する位置に、前記キャップ本体の厚さ方向に凹む凹部を形成する形成ステップを備えることを特徴とするものである。
【００１７】
また、本発明の請求項６記載のキャップ製造方法は、前記凹部が形成された前記天板部の内表面に溶融した合成樹脂材を供給し、前記合成樹脂材を押し広げて前記ライナを成形するライナ成形ステップを備えることを特徴とするものである。
【発明の効果】
【００１８】
本発明の請求項１記載のキャップ及び請求項３記載のキャップ付ボトル缶によれば、天板部に絞り加工が施された後であっても、口部頂点と天板部との距離を凹部の分だけ確実に確保できるとともに、当該凹部の分だけ天板部の厚みを薄くできることから、天板部がシール部を押し付ける力を低減でき、その結果キャップ本体と口部頂点との間の面圧が低下し、ボトル缶の内圧によってシール部を変形させて当該内圧を容易に開放させることができ、かくしてボトル缶の内圧が異常に上昇することを防止できる。
【００１９】
また、本発明の請求項２記載のキャップ及び請求項４記載のキャップ付ボトルによれば、天板部の内表面に凹んだ凹部を形成し、当該凹部の分だけシール部の厚みを厚くしたことにより、シール部が閉止時に口部頂点と当接して容器内部を確実に密封できるとともに、ボトル缶の内圧によってシール部が容易に変形し、ボトル缶外に内圧を確実に開放させることができる。
【００２０】
また、本発明の請求項５記載のキャップ製造方法によれば、キャップにおける天板部の内表面に、シール部と対向させた凹部を形成できる。従って、天板部に絞り加工が施された後であっても、凹部の分だけ口部頂点との距離を確保するとともに、当該凹部の分だけ天板部の厚みを薄くして、キャップ本体と口部頂点との間の面圧を確実に低下させ、ボトル缶に内圧を容易に開放させ得るキャップを製造できる。
【００２１】
また、本発明の請求項６記載のキャップ製造方法によれば、ライナ成形ステップによって天板部の内表面において合成樹脂材押し広げてゆきライナを成形するようにしたことにより、シール部に凹部と対応させて凸部を形成できる。従って、凹部の分だけシール部の厚みが厚くなり、シール部が閉止時に口部頂点と当接して容器内部を確実に密封し得るとともに、ボトル缶外に内圧を確実に開放し得るキャップを製造できる。
【発明を実施するための最良の形態】
【００２２】
以下、本発明の実施の形態について、図面を参照しながら説明する。
【００２３】
図１において、１は本発明のキャップ付ボトル缶を示し、このキャップ付ボトル缶１は、全体がアルミニウムやアルミニウム合金等の金属製でなり、購入者が片手で保持できる大きさでなるボトル缶２と、当該ボトル缶２を閉止するための飲料容器用キャップ３とで構成されている。
【００２４】
実際上、このキャップ付ボトル缶１は、ボトル缶２の口部４に短有底筒状の飲料容器用キャップ３が成形装置（図示せず）によって被着され、ボトル缶２内を密封し得るようになされている。
【００２５】
飲料容器用キャップ３は、円板状の天板部５と、この天板部５の周縁から垂下した筒部６とから構成されたキャップ本体７を有する。ここで天板部５は、円形状でなる平坦部８を備え、この平坦部８の周縁に角部形成部９を有するとともに、当該角部形成部９の周縁に絞り加工が行われる加工領域10を有する。
【００２６】
ここで加工領域10には、図２に示すように、角部形成部９が折り曲げられて、ボトル缶２の口部４側に凹む段差部11が形成されている。ここで天板部５は、その内表面12に例えばポリプロピレンとゴムとを混合したものやポリエチレン、ＥＶＡ（エチレン酢酸ビニル共重合体）等のような比較的軟質の合成樹脂材で成形されたライナ13を有し、このライナ13の周縁に設けたシール部14を段差部11によってボトル缶２の口部頂点4aに密着させ、当該ボトル缶２内を確実に密封し得るようになされている。
【００２７】
かかる構成に加えて加工領域10、角部形成部９及び平坦部８の周縁部分からなり、シール部14に対向する環状の領域（以下、これらをまとめて単にシール部対向領域と呼ぶ）16には、長方形状でなり、キャップ本体７の厚さ方向に凹む凹部（以下、これをコイニング部と呼ぶ）17が内表面12に散在して形成されている。
【００２８】
これら各コイニング部17は、ボトル缶２の口部４にキャップ本体７を被着させた際に、当該口部４の口部頂点4aと対向するようになされている。ここでコイニング部17の凹んだ空間内には、隙間を有しないようにライナ13のシール部14が設けられている。実際上、シール部14には、天板部５と接触する接触面22にコイニング部17と同一形状でなる凸部23が設けられ、この凸部23がコイニング部17の凹んだ空間内に配置されている。
【００２９】
すなわちシール部14は、凸部23の分だけ厚さがその周囲に比して厚く、面圧が下降する厚膜部24と、厚さが当該厚膜部24に比して薄い薄膜部25とが順次交互に形成され得る（図１）。また、ライナ13のシール部14は、厚膜部24がコイニング部17に配置されていることから、その外表面26において内周縁部19から外周縁部20まで凸部23の形状が露出せず滑らかに形成されている。
【００３０】
ところで、キャッピング装置（図示せず）によってボトル缶２の口部４に飲料容器用キャップ３を被着する前においては、当該キャッピング装置によって加工領域10に対し絞り加工が施されていないことから、図３に示すように、加工領域10は段差部11（図１）を有さずに平坦部８とほぼ同一平面状となっている。この場合、ライナ13のシール部14は、加工領域10が平坦部８とほぼ同一平面状に形成されていることから、その外表面26が厚膜部24及び薄膜部25においてほぼ同一平面状となり平坦に形成され得る。
【００３１】
この実施の形態の場合、シール部14と対向する位置となるシール部対向領域16には、図４に示すように、複数のコイニング部17がその長手方向を天板部５の中心点30（図１）側に向けて周方向に沿って配置され、当該中心点30を中心に放射状に設けられている。また、シール部対向領域16には、隣接するコイニング部17の中心軸間の距離（以下、これをコイニングピッチと呼ぶ）ｄが等間隔となるように各コイニング部17が規則的に設けられている。
【００３２】
実際上、コイニング部17は、図３及び図４に示すように、天板部５の内表面12においてキャップ本体７の厚さ方向に凹んだ長方形状の底面部31と、この底面部35の周縁を取り囲み、当該底面部31に対して直角に設けられた平面状の周壁部32とにより構成され、これら底面部31及び周壁部32によって凹んだ箱状に形成されている。
【００３３】
また、コイニング部17は、ボトル缶２の口部頂点4aの湾曲形状部分に亘って設けられるようにその長手方向の長さが選定され、加工領域10だけでなく、角部形成部９の周辺においてもライナ13のシール部14を厚く形成させ得るようになされている。
【００３４】
なお、このコイニング部17は、図２に示したように、天板部５の内表面12において、短手方向の一端33がシール部14の内周縁部19と対向する位置（平坦部８の周縁部分）に有するとともに、短手方向の他端35が段差部11に有し、ボトル缶２の口部頂点4a及びライナ13のシール部14に合わせて形成されている。
【００３５】
このようにしてコイニング部17は、口部頂点4aと天板部５との距離を凹ませた分だけ遠ざけ、かつ当該凹ませた分だけ天板部５の厚みを薄くさせることにより、天板部５がシール部14を押し付ける力を低減させ、その結果キャップ本体７と口部頂点4aとの間の面圧を低下させ得るようになされている。
【００３６】
かくしてライナ13のシール部14は、ボトル缶の内圧が上昇すると、コイニング部17に対応して設けられた厚膜部24から当該ボトル缶２の内圧を外部へ開放し得るように構成されている。
【００３７】
また、この実施の形態の場合、コイニング部17は、図３及び図４に示したように、飲料容器用キャップ３の周方向に延びる幅（以下、これをコイニング幅と呼ぶ）ａと、飲料容器用キャップ３の半径方向に延びる長さ（以下、これをコイニング長さと呼ぶ）ｂと、コイニングピッチｄとをそれぞれ所定の寸法に選定することにより、シール部14の厚膜部24での面圧を下降させてボトル缶２の内圧開放圧を低くしつつ、シール角度が小さくなり過ぎることを防止し得るようになされている。
【００３８】
因みに、ここで内栓開放圧とは、開栓後にボトル缶２の口部４を飲料容器用キャップ３で再び閉止し、この状態のままボトル缶２の内圧を上昇させた後、その内圧を開放したときの圧力をいい、またシール角度とは開栓時にボトル缶２の内圧が開放される角度をいう。
【００３９】
さらに、この実施の形態の場合、コイニング部17は、図３に示したように、キャップ本体７の厚さ方向に凹む深さ（以下、これをコイニング深さと呼ぶ）ｃを所定の寸法に選定することにより、シール部14の厚膜部24での面圧を下降させてボトル缶２の内圧開放圧を低くしつつ、後述するコイニング加工時に天板部５が変形して口部４に対するキャッピングが適正に行われなくなることを防止し得るようになされている。
【００４０】
次に、かかる構成のキャップ付ボトル缶１の製造手順について以下説明する。この場合、先ずアルミニウム又はアルミニウム合金の圧延材をプレス成型機（図示せず）により約Φ３８ｍｍのキャップシェル（図示せず）に打抜く。これによりプレス成型機は、円板状の天板部と、この天板部の周縁から垂下した筒部とを備えたキャップシェルを成型するようになされている。
【００４１】
ここでプレス成型機は、キャップシェルの天板部の外表面側に配置される外側成形型と、当該キャップシェルの天板部の内表面側に配置される内側成形型とを有し、当該内側成形型に凸条に突出した凹部形成部材が設けられているとともに、当該外側成形型に凹部形成部材と対向させて平面部が設けられた構成を有する。
【００４２】
これによりプレス成形機は、圧延材をキャップシェルに打抜く際に、形成ステップとして天板部の内表面に凹部形成部材を押し当ててコイニング加工し、天板部の内表面（キャップ本体７におけるシール部対向領域16の内表面12）に凹状のコイニング部17を形成するようになされている。
【００４３】
またこのときプレス成形機は、外側成形型の平面部を天板部の外表面に押し当てることにより、コイニング部17に対向した外表面を凹みのない滑らかな平坦状に形成するようになされている。
【００４４】
次いで成形装置において、ローリング成型処理をキャップシェルに施すことによりナール40やビート41や、フレア42を備えたキャップ本体７（図３）を形成した後、このキャップ本体７をライナ成形装置に送出する。
【００４５】
ライナ成形装置（図示せず）では、ライナ成形ステップとして天板部５の内表面12の中心付近に溶融させた合成樹脂材を供給した後、上方から押圧成形手段を下降させて天板部５の内表面12上で当該合成樹脂材を押し広げてゆく。
【００４６】
かくして、ライナ成形装置は、図３に示したように、環状に突出し、かつ厚膜部24及び薄膜部25を順次交互に有するシール部14を形成するとともに、このライナ13を天板部５の内表面12に溶着させて飲料容器用キャップ３を形成する。その後、容器内部に内容物（飲み物）を充填したボトル缶２の口部４に、図示しないキャッピング装置によって飲料容器用キャップ３を被せる。
【００４７】
続いて、キャッピング装置は、キャッピング処理としてプレッシャーブロック（図示せず）によって、天板部５から缶底方向にキャップ本体７の加工領域10を押圧することで絞り加工を行い、図２に示したように、缶底方向への所定の絞り量（絞り深さ）と、キャップ本体７の径方向への所定の絞り寸法とでなる段差部11を形成し、これによりライナ13のシール部14全周をボトル缶の口部頂点4aに密着させる。
【００４８】
また、キャッピング装置は、キャッピング処理として飲料容器用キャップ３のねじ形成予定部43に対してねじ成型を行うとともに、フレア42に対して裾巻き成型を行い、図１に示すように、ボトル缶２の口部４に飲料容器用キャップ３を螺着させたキャップ付ボトル缶１を形成し得る。
【００４９】
以上の構成において、飲料容器用キャップ３では、キャップ本体７の加工領域10、角部形成部９及び平坦部８の周縁部分からなり、ライナ13のシール部14に対向する環状のシール部対向領域16の内表面12に、帯状の凹んだコイニング部17を散在させて形成するようにした。
【００５０】
従って、飲料容器用キャップ３では、天板部５に絞り加工が施された後であっても、コイニング部17の分だけ口部頂点4aとの距離が確実に確保できるとともに、当該コイニング部17の分だけ天板部５の厚みを薄くできるので、天板部５がシール部14を押し付ける力を低減でき、その結果キャップ本体７と口部頂点4aとの間の面圧を確実に低下させることができる。
【００５１】
このように飲料容器用キャップ３では、コイニング部17によってキャップ本体７と口部頂点4aとの間の面圧を確実に低下できるので、その分ボトル缶２の内圧によってコイニング部17におけるシール部14が容易に変形し易くなり、ボトル缶２から外部に内圧を開放させ易くできる。
【００５２】
また、飲料容器用キャップ３では、キャップ本体７の厚み方向に凹むコイニング部17をシール部対向領域16に形成した後、溶融させた合成樹脂材を天板部５の内表面12で押し広げてライナ13を形成するようにしたことにより、当該コイニング部17の凹んだ空間内に合成樹脂材を確実に、かつ容易に押し込むことができ、かくしてシール部14の接触面22に当該コイニング部17の形状に対応した凸部23を正確に形成できる。
【００５３】
さらに、飲料容器用キャップ３では、シール部14において周辺よりも厚みが厚い厚膜部24を形成しつつも、絞り加工が施される前、シール部14全周の外表面26を従来と同じほぼ平坦に形成できるので、絞り加工を施してもシール部14全体をボトル缶２の口部頂点4aに確実に密着させることができる。
【００５４】
そして、飲料容器用キャップ３では、環状のシール部対向領域16全周に亘って同一形状のコイニング部17を等間隔に形成するようにしたことにより、シール部対向領域16全周においてボトル缶外の内圧を均等に開放させることができる。
【００５５】
また、この飲料容器用キャップ３では、全コイニング部17の表面積を足した全凹部分面積を、キャッピング時にボトル缶２の口部４とシールを形成する部分（以下、これをシール形成部分と呼ぶ）の表面積で徐した面積比率（以下、これをコイニング面積比率と呼ぶ）と、コイニング深さｃをシール部対向領域16での板厚で徐した比率（以下、これをコイニング深さ比率と呼ぶ）とが所定の値に選定されていることにより、内圧開放圧を低くしつつ、シール角度が小さくなり過ぎることを防止し、かつコイニング加工時に天板部５が変形して口部４とのキャッピングが適正に行われなくなることを防止してボトル缶２内を確実に密封できる。
【００５６】
そして、この実施の形態の場合、飲料容器用キャップ３を製造する場合には、シール部対向領域16の内表面12にコイニング部17を形成する際、シール部対向領域16の内表面12側に対してのみコイニング加工を行えばよいことから、シール部対向領域16全体を波状に凹凸加工する場合に比べて加工し易くできる。因みに、飲料容器用キャップ３では、コイニング部17によりシール部対向領域16の断面形状が複雑になり、その分曲げやねじりに対して高い剛性を有し、落下強度を向上させることができる。
【００５７】
以上の構成によれば、シール部14に対応させて天板部５の内表面12に凹んだコイニング部17を形成したことにより、天板部５に絞り加工が施された後であっても、口部頂点4aと天板部５との距離をコイニング部17の凹んだ空間の分だけ確実に確保できるとともに、当該コイニング部17の凹んだ空間の分だけ天板部５の厚みを薄くできる。従って、飲料容器用キャップ３では、天板部５がシール部14を押し付ける力が低減するので、キャップ本体７と口部頂点4aとの間の面圧が低下し、ボトル缶２の内圧によってシール部14を変形させて当該内圧を容易に開放させることができ、かくしてボトル缶２の内圧が異常に上昇することを防止できる。
【００５８】
また、天板部５の内表面12に凹んだコイニング部17を形成し、当該コイニング部17の分だけシール部14の厚みを厚くしたことにより、シール部14が閉止時に口部頂点4aと当接して容器内部を確実に密封できるとともに、ボトル缶２の内圧によってシール部14が容易に変形し、ボトル缶外に内圧を確実に開放させることができる。
【００５９】
さらに、ボトル缶２の口部４を閉止する飲料容器用キャップ３を製造するキャップ製造方法において、形成ステップによってシール部14に対応した天板部５の内表面12にコイニング部17を形成するようにした。従って、天板部５に絞り加工が施された後であっても、コイニング部17の分だけ口部頂点4aとの距離を確保するとともに、当該コイニング部17の分だけ天板部５の厚みを薄くして、キャップ本体７と口部頂点4aとの間の面圧を確実に低下させ、ボトル缶２に内圧を容易に開放し得る飲料容器用キャップ３を製造できる。
【００６０】
さらに、飲料容器用キャップ３を製造するキャップ製造方法において、ライナ成形ステップによって天板部５の内表面12において溶融させた合成樹脂材押し広げてゆき、ライナを成形するようにしたことにより、シール部14の接触面22にコイニング部17に対応させて凸部23を形成できる。従って、コイニング部17の分だけシール部14の厚みが厚くなり、シール部14が閉止時に口部頂点4aと当接して容器内部を確実に密封し得るとともに、ボトル缶外に内圧を確実に開放し得る飲料容器用キャップ３を製造できる。
【００６１】
なお、本発明は上記した実施の形態に限定されるものではなく、本発明の特許請求の範囲に記載した事項の範囲内で種々の変形実施をすることができ、例えば、シール部対向領域16にコイニング部17を１つだけ形成したり、複数のコイニング部を不規則に形成したり、円形状等の各種形状のコイニング部を形成したり、或いはそれぞれ異なる形状のコイニング部を形成するようにしても良く、要はシール部14に対応させて天板部５の内表面12に凹んだ凹部であればこの他種々の凹部を適用するようにしても良い。
【００６２】
また、上述した実施の形態においては、合成樹脂材を押し広げてコイニング部17の形状に合わせた凸部23を有するライナ13を設けるようにした場合について述べたが、本発明はこれに限らず、予め円盤状に成型したライナを設けるようんしても良い。
【００６３】
この場合、コイニング部17とシール部14との間に隙間が形成されることもあるが、上述した実施の形態と同様に天板部５がシール部14を押し付ける力を低減できることから、キャップ本体７と口部頂点4aとの間の面圧を確実に低下させることができる。
【実施例】
【００６４】
次にシール部対向領域16の内表面12にコイニング部17を形成した飲料容器用キャップ３について検証試験を行った結果について説明する。この場合、以下の表１に示す実施例１〜７では、コイニングピッチを２０ｍｍに選定し、コイニング幅ａ及びコイニング深さｃを任意に変えて異なるコイニング面積比率（すなわち、コイニング部17の全凹部分面積／シール形成部分の表面積）及びコイニング深さ比率として検証試験を行い、シール角度、内圧開放圧及びキャップ天面変形の検証結果を比較した。また、コイニング部17を有しない従来の飲料容器用キャップを比較例として用いた。
【００６５】
ここでキャップ天面変形とは、コイニング加工時の天板部５の変形度合いを示すもので、コイニング加工時に天板部５が変形せずに口部４にキャッピングが適正に行えたときは表中「○」で示し、コイニング加工時に天板部５が僅かに変形して口部４にキャッピングが適正に行い難かったときは表中「△」で示し、コイニング加工時に天板部５が大きく変形して口部４にキャッピングが適正に行えなかったときは表中「×」で示した。
【００６６】
【表１】
2007269363.tif 000003
実際上、これら実施例１〜４、６及び７では、コイニング面積比率を増やしたことにより、コイニング部17においてキャップ本体７と口部頂点4aとの間の面圧が低下し、内圧開放圧が低くなることが確認できた。但し、コイニング面積比率が７０％以上の実施例４では、コイニング部17において面圧低下が大きくなるため、シール角度が小さくなくという不具合が生じた。
【００６７】
また、コイニング深さ比率を２０％以上にすると、内圧開放圧が低くなることが分かった。但し、コイニング深さ比率が６０％以上とした実施例７では、キャップ天面変形が「×」となった。
【００６８】
以上より、シール角度、内圧開放圧の低減及びキャップ天面変形の観点からコイニング面積比率は１０〜７０％に選定されることが望ましく、コイニング深さ比率は２０〜４０％に選定されることが望ましいことが分かった。
【図面の簡単な説明】
【００６９】
【図１】本発明によるキャップ付ボトル缶の構成を示す斜視図である。
【図２】ボトル缶の口部と飲料容器用キャップとの側断面構成を示す断面図である。
【図３】キャッピング処理を行う前の飲料容器用キャップの側断面構成を示す断面図である。
【図４】コイニング部の構成を示す下面図である。
【符号の説明】
【００７０】
１  キャップ付ボトル缶
２  ボトル缶
３  飲料容器用キャップ（キャップ）
4a  口部頂点
５  天板部
６  筒部
７  キャップ本体
12  内表面
17  コイニング部（凹部）
22  接触面
23  凸部
【図１】
2007269363.tif 000004
【図２】
2007269363.tif 000005
【図３】
2007269363.tif 000006
【図４】
2007269363.tif 000007